(57)【特許請求の範囲】
【請求項１】
ハウジングの羽根車収容孔内に前後２段の羽根車を結合部材で互いに結合して一体化した羽根車を配置し、前記前段の羽根車と前記後段の羽根車を一体化している状態において、前記前段の羽根車の羽根の両側部が前記後段の羽根車の隣接した羽根とオーバーラップする関係をもたせて前記後段の羽根車の隣接した羽根間の間隙を光学的に塞ぐ構成とし、前記前段の羽根車の羽根は遮光羽根として機能するように平板に近い形状で、前記後段の羽根車の羽根は送風主羽根として機能するように少し湾曲した形状で、前記羽根車収容孔は前側部の内径より後部の内径が小さくなるように絞り込まれた形状で、かつ、後部の孔縁が羽根車の羽根の先端位置より羽根車の中心側に位置するようにしたことを特徴とする遮光型ファン。
【発明の詳細な説明】
【０００１】
【発明の属する技術分野】
本発明は、プロジェクターなど、光源を有する機器における内部冷却用の遮光型ファンに関する。
【０００２】
【従来の技術】
一般に光源を装備した機器、たとえばプロジェクター等は、前記光源の熱により内部が高い温度になることから冷却ファンを組み込み、この冷却ファンによって強制的に冷却して機器の安全を図るようにしている。
【０００３】
図６は、従来のプロジェクターの概略断面図、図７は同プロジェクターに用いる冷却ファンの平面図、図８は同冷却ファンの羽根車の斜視図である。
【０００４】
この図６〜図８に示すように、プロジェクター１は内部に光源ランプユニット２と、照射光学ユニット３および４と、冷却ファン５を備えている。この冷却ファン５は光源ランプユニット２の後方に配置され、ケーシング６の冷却ファン５に対向する後板には排気孔７を形成した構成となっている。
【０００５】
また、冷却ファン５は、ハウジング８における羽根車収容孔９にモータと、モータにより駆動される羽根車１０を配置してあり、羽根車１０は複数の羽根１１をボス部の周囲に突出させている。また、この羽根１１は、金型成型時に抜き易くするために隣接する羽根に対して間隔を持たせるようにしている。
【０００６】
【発明が解決しようとする課題】
ところで前記の冷却ファン５を用いたプロジェクター１では、光源ランプユニット２の光の一部が冷却ファン５の各羽根１１間の隙間を通り、ハウジング８における排気孔７を通って後方に漏れることになり、プロジェクター１より後方にいる人は投射映像が見づらくなるという問題があった。
【０００７】
本発明は前記従来の問題に留意し、遮光機能をもち、しかも送風特性を落とすことなく、また、型抜きも容易にできるようにした冷却用の遮光型ファンを提供することを目的とする。
【０００８】
【課題を解決するための手段】
前記目的を達成するため本発明は、ハウジングの羽根車収容孔内に前後２段の羽根車を結合部材で互いに結合して一体化した羽根車を配置し、前記前段の羽根車と前記後段の羽根車を一体化している状態において、前記前段の羽根車の羽根の両側部が前記後段の羽根車の隣接した羽根とオーバーラップする関係をもたせて前記後段の羽根車の隣接した羽根間の間隙を光学的に塞ぐ構成とし、前記前段の羽根車の羽根は遮光羽根として機能するように平板に近い形状で、前記後段の羽根車の羽根は送風主羽根として機能するように少し湾曲した形状で、前記羽根車収容孔は前側部の内径より後部の内径が小さくなるように絞り込まれた形状で、かつ、後部の孔縁が羽根車の羽根の先端位置より羽根車の中心側に位置するようにしたことを特徴とする遮光型ファンとする。
【０００９】
本発明によれば、各羽根の側部間に隙間がなくなって羽根部において遮光でき、また、型抜きも容易にでき、しかも送風特性を落とすことのない遮光型ファンを実現することができる。
【００１０】
【発明の実施の形態】
本発明の請求項１に記載の発明は、ハウジングの羽根車収容孔内に前後２段の羽根車を結合部材で互いに結合して一体化した羽根車を配置し、前記前段の羽根車と前記後段の羽根車を一体化している状態において、前記前段の羽根車の羽根の両側部が前記後段の羽根車の隣接した羽根とオーバーラップする関係をもたせて前記後段の羽根車の隣接した羽根間の間隙を光学的に塞ぐ構成とし、前記前段の羽根車の羽根は遮光羽根として機能するように平板に近い形状で、前記後段の羽根車の羽根は送風主羽根として機能するように少し湾曲した形状で、前記羽根車収容孔は前側部の内径より後部の内径が小さくなるように絞り込まれた形状で、かつ、後部の孔縁が羽根車の羽根の先端位置より羽根車の中心側に位置するようにしたことを特徴とする遮光型ファンであり、前方からの光を羽根部およびその周辺部において遮光でき、しかも送風特性を落とすことがなく、プロジェクターなどの光源を備えた機器の冷却ファンとして有用であるという作用を有する。
【００１４】
以下、本発明の実施の形態について、図面を参照して説明する。
【００１５】
（実施の形態１）
図１は本発明の実施の形態１の遮光型の冷却ファンの斜視図、図２は同冷却ファンの断面図、図３は同冷却ファンの羽根車の斜視図、図４は同羽根車の分解斜視図、図５は前段の羽根のＡＡ線断面図である。なお、各図において、前記従来の技術と同じ構成部材には従来の技術と同じ符号を付与する。
【００１６】
この実施の形態１の遮光型の冷却ファンは、図示のようにハウジング８における羽根車収容孔９内に羽根車１０およびモータ１２を配置しモータ１２の駆動により羽根車１０が回転するようになっている。前記の羽根車収容孔９における周壁と羽根車１０との間には、羽根車１０の回転を許す隙間を形成してあり、そして、羽根車収容孔９は前側部の径より後部の径が小さくなるように絞り込んだ形状で、かつ、後部の孔縁が羽根車１０の羽根１１の先端位置より羽根車１０の中心側に位置するようにしている。
【００１７】
前記の羽根車１０は、前後２つの前段の羽根車１０ａと後段の羽根車１０ｂによって構成されている。さらに詳しく説明すると、前段の羽根車１０ａと後段の羽根車１０ｂは、それぞれボス部より放射状に突出した複数の前段の羽根車の羽根１１ａおよび後段の羽根車の羽根１１ｂを有している。そして、後段の羽根車１０ｂのボス部の天板には複数のフック片１３ｂと中心ガイドピン１４を突設してあり、前段の羽根車１０ａの天板にはフック片１３ａとガイドピン受け穴（図示せず）を設けてあり、前段の羽根車１０ａと後段の羽根車１０ｂを重ね、中心ガイドピン１４をガイドピン受け穴に挿入するとともにフック片１３ｂをフック片１３ａに掛け止めて、前段の羽根車１０ａと後段の羽根車１０ｂを結合して一体化している。なお、フック片１３ｂのフック片１３ａへの掛け止めは、前段の羽根車１０ａと後段の羽根車１０ｂを重ね合わせた後、一方の羽根車を回すことにより行われる。
【００１８】
前記の後段の羽根車１０ｂの各後段の羽根車の羽根１１ｂは送風主羽根として機能するようにしてあり、そのため少し湾曲した形状にして送風特性を良くしている。また、隣接する後段の羽根車の羽根１１ｂ相互間には隙間を形成している。また、前段の羽根車１０ａの各前段の羽根車の羽根１１ａは遮光羽根として機能するようにしてあり、したがって平板に近い形状としている。そして前段の羽根車１０ａと後段の羽根車１０ｂを結合して一体化している状態において、前段の羽根車１０ａの各前段の羽根車の羽根１１ａの両側部が後段の羽根車１０ｂの隣接する後段の羽根車の羽根１１ｂとオーバーラップする関係をもたせ、送風主羽根として機能する後段の羽根車１０ｂの後段の羽根車の羽根１１ｂ間の隙間を光学的に塞ぎ、遮光羽根として機能するようにしている。
【００１９】
これらの前段の羽根車１０ａと後段の羽根車１０ｂは耐熱性であるポリブチレンテレフタレート樹脂（ＰＢＴ）よりなり、また、カーボン材などを混入して全体として強度を大きくするとともに、光反射を抑えるようにしている。
【００２０】
この実施の形態１の遮光型の冷却ファンは、先に説明したプロジェクター内において光源ランプユニットの後方に配置されて使用に供する。
【００２１】
上記構成の実施の形態１の遮光型の冷却ファンは、前段の羽根車１０ａの羽根１１ａの両側部が後段の羽根車１０ｂの隣接する後段の羽根車の羽根１１ｂとオーバーラップし、後段の羽根車１０ｂの羽根１１ｂ間の隙間を光学的に塞ぐので、前方からの光を羽根部において遮断することになり、したがって、プロジェクターのように光源を備えた機器の冷却用に用いる場合に極めて有用である。また、ファンのハウジングにおける羽根車収容孔９は前側部の径より後部の径が小さくなるように絞り込んだ形状で、かつ、後部の孔縁が羽根車１０の羽根１１の先端位置より羽根車１０の中心側に位置するようにしているので、羽根部周辺の隙間においても前方からの光を遮断することになり、前記と同様にプロジェクターのように光源を備えた機器の冷却用に用いる場合に極めて有用である。
【００２２】
さらに、羽根車１０は前段の羽根車の羽根１１ａ、後段の羽根車の羽根１１ｂが遮光のためにオーバーラップする関係をもつものであっても、前段の羽根車１０ａと後段の羽根車１０ｂを個々に成型することから、その型抜きが容易であり、製造の上から有利である。また、前段の羽根車１０ａと後段の羽根車１０ｂは結合部材によって容易に一体化でき、したがって、２分割構成の羽根車であってもファンとして何ら支障が生じない。
【００２３】
なお、前記の実施の形態１の説明では、ファンはプロジェクターの冷却用としているが、光源を備えた他の機器の冷却用として使用できることはいうまでもない。さらに、内部が透けて見えない構造のため、内部が見えて欲しくない機器、例えばデスクトップ型ＰＣ等の排気用ファンとしても有用である。また、羽根車は前後２つの羽根車で構成しているが、前段の羽根と後段の羽根が遮光のためにオーバーラップする関係をもつものであれば、羽根車を分割しない単体のものとしてもよい。
【００２４】
【発明の効果】
以上の説明より明らかなように、本発明は羽根車の羽根群における隣接した羽根同士をオーバーラップさせて前方光を遮光する構成の遮光型ファンであるので、前方からの光を羽根部において遮光でき、プロジェクターなどの光源を備えた機器の冷却ファンとして有用である。
【００２５】
また、羽根群が羽根車に前後２段に形成され、前段の羽根が後段における隣接した羽根に対してオーバーラップする構成とすることにより、同じく前方からの光を羽根部において遮光でき、しかも送風特性を落とすことがなく、プロジェクターなどの光源を備えた機器の冷却ファンとして有用である。
【００２６】
また、羽根群を有する羽根車は前後２つの羽根車よりなり、前後２つの羽根車を結合部材で互いに結合して前記羽根群のオーバーラップの関係をもたせることにより、前方からの光を羽根部において遮光でき、しかも成型時の型抜きが容易で、送風特性を落とすことがないものとすることができる。
【００２７】
また、ハウジングの羽車収容孔を、その後部の内径が小さくなるように絞り込まれた形状とすることにより、羽根周辺部においても遮光ができ、プロジェクターなどの光源を備えた機器の冷却ファンとして有用である。
【図面の簡単な説明】
【図１】本発明の実施の形態１の遮光型の冷却ファンの斜視図
【図２】同冷却ファンの断面図
【図３】同冷却ファンの羽根車の斜視図
【図４】同羽根車の分解斜視図
【図５】前段の羽根のＡＡ線断面図
【図６】従来のプロジェクターの概略断面図
【図７】同プロジェクターに用いる冷却ファンの平面図
【図８】同冷却ファンの羽根車の斜視図
【符号の説明】
１  プロジェクター
２  光源ランプユニット
３  照射光学ユニット
４  照射光学ユニット
５  冷却ファン
６  ケーシング
７  排気孔
８  ハウジング
９  羽根車収容孔
１０  羽根車
１０ａ  前段の羽根車
１０ｂ  後段の羽根車
１１ａ  前段の羽根車の羽根
１１ｂ  後段の羽根車の羽根
１２  モータ
１３ａ  前段の羽根車のフック片
１３ｂ  後段の羽根車のフック片
１４  中心ガイドピン
【図１】
0004346845.tif 000002
【図２】
0004346845.tif 000003
【図３】
0004346845.tif 000004
【図４】
0004346845.tif 000005
【図５】
0004346845.tif 000006
【図６】
0004346845.tif 000007
【図７】
0004346845.tif 000008
【図８】
0004346845.tif 000009